【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
創傷または切開閉鎖装置であって、
創傷または切開の第１の側面に隣接して側方に設置するための第１のパネルであって、
前記第１のパネルは、第１の底部接着性層、第１の中間基板層、および第１の上側負荷分
散層を備えている、第１のパネルと、
前記創傷または切開の第２の側面に隣接して側方に設置するための第２のパネルであっ
て、前記第２のパネルは、第２の底部接着性層、第２の中間基板層、および前記第１の上
側負荷分散層に接続可能な第２の上側負荷分散層を備えている、第２のパネルと、
前記第１または第２のパネルのうちの１つ以上のものに隣接して配置されているか、ま
たはその中に統合されている、感知または治療要素と
を備えている、創傷または切開閉鎖装置。
【請求項２】
前記感知または治療要素は、前記第１の底部接着性層、前記第２の底部接着性層、前記
第１の中間基板層、前記第２の中間基板層、前記第１の上側負荷分散層、または前記第２
の上側負荷分散層のうちの１つ以上のものに隣接して配置されているか、またはその中に
統合されている、請求項１に記載の創傷または切開閉鎖装置。
【請求項３】
前記感知または治療要素は、前記第１または第２のパネルのうちの１つ以上のものの層
のうちの２つ以上のものの間のポケット内に配置されている、請求項２に記載の創傷また
は切開閉鎖装置。
【請求項４】
前記第１または第２のパネルは、前記ポケットへのアクセスを可能にするために、前記
層のうちの１つ以上のものを横断するアクセスを有する、請求項３に記載の創傷または切
開閉鎖装置。
【請求項５】
前記感知または治療要素は、前記創傷または切開閉鎖装置の外部の受信デバイスと通信
するように構成されている、請求項１に記載の創傷または切開閉鎖装置。
【請求項６】
前記感知または治療要素は、前記受信デバイスと無線通信するように構成されている、
請求項５に記載の創傷または切開閉鎖装置。
【請求項７】
前記受信デバイスは、ワークステーション、パーソナルコンピュータ、ラップトップコ
ンピュータ、タブレットコンピュータ、スマートフォン、ウェアラブルコンピュータ、ま
たは専用受信機を備えている、請求項５に記載の創傷または切開閉鎖装置。
【請求項８】
前記第１および第２の上側負荷分散層は、１つ以上のストラップおよびストラップラチ
ェットを通して、互に接続されている、請求項１に記載の創傷または切開閉鎖装置。
【請求項９】
前記感知または治療要素は、温度計、運動センサ、化学センサ、圧力センサ、または治
療送達要素のうちの１つ以上のものを備えている、請求項１に記載の創傷または切開閉鎖
装置。
【請求項１０】
前記運動センサは、歪みゲージ、電気機械的センサ、電磁センサ、加速度計、または光
学センサのうちの１つ以上のものを備えている、請求項９に記載の創傷または切開閉鎖装
置。
【請求項１１】
前記化学センサは、血液組成、経皮血中酸素、経皮血中二酸化炭素、血糖値、またはｐ
Ｈのうちの１つ以上のものを測定するように構成されている、請求項９に記載の創傷また
は切開閉鎖装置。
【請求項１２】
前記治療送達要素は、光線治療のための光源、機械的振動要素、超音波源、薬物送達要
素、加熱要素、冷却要素、通電要素、または超音波源のうちの１つ以上のものを備えてい
る、請求項９に記載の創傷または切開閉鎖装置。
【手続補正２】
【補正対象書類名】明細書
【補正対象項目名】００１２
【補正方法】変更
【補正の内容】
【００１２】
本方法はさらに、感知された生理学的パラメータを外部受信デバイスに伝送することを
含み得る。伝送は、治療または感知デバイスによる生理学的パラメータの感知または検出
とリアルタイムであり得る。外部受信デバイスは、いくつか挙げると、ワークステーショ
ン、パーソナルコンピュータ、ラップトップコンピュータ、タブレットコンピュータ、ス
マートフォン、ウェアラブルコンピュータ、または専用受信機のうちの１つ以上のものを
備え得る。
本願明細書は、例えば、以下の項目も提供する。
（項目１）
創傷または切開閉鎖装置であって、
創傷または切開の第１の側面に隣接して側方に設置するための第１のパネルであって、
前記第１のパネルは、第１の底部接着性層、第１の中間基板層、および第１の上側負荷分
散層を備えている、第１のパネルと、
前記創傷または切開の第２の側面に隣接して側方に設置するための第２のパネルであっ
て、前記第２のパネルは、第２の底部接着性層、第２の中間基板層、および前記第１の上
側負荷分散層に接続可能な第２の上側負荷分散層を備えている、第２のパネルと、
前記第１または第２のパネルのうちの１つ以上のものに隣接して配置されているか、ま
たはその中に統合されている、感知または治療要素と
を備えている、創傷または切開閉鎖装置。
（項目２）
前記感知または治療要素は、前記第１の底部接着性層、前記第２の底部接着性層、前記
第１の中間基板層、前記第２の中間基板層、前記第１の上側負荷分散層、または前記第２
の上側負荷分散層のうちの１つ以上のものに隣接して配置されているか、またはその中に
統合されている、項目１に記載の創傷または切開閉鎖装置。
（項目３）
前記感知または治療要素は、前記第１または第２のパネルのうちの１つ以上のものの層
のうちの２つ以上のものの間のポケット内に配置されている、項目２に記載の創傷または切開閉鎖装置。
（項目４）
前記第１または第２のパネルは、前記ポケットへのアクセスを可能にするために、前記
層のうちの１つ以上のものを横断するアクセスを有する、項目３に記載の創傷または切開閉鎖装置。
（項目５）
前記感知または治療要素は、前記創傷または切開閉鎖装置の外部の受信デバイスと通信
するように構成されている、項目１に記載の創傷または切開閉鎖装置。
（項目６）
前記感知または治療要素は、前記受信デバイスと無線通信するように構成されている、
項目５に記載の創傷または切開閉鎖装置。
（項目７）
前記受信デバイスは、ワークステーション、パーソナルコンピュータ、ラップトップコ
ンピュータ、タブレットコンピュータ、スマートフォン、ウェアラブルコンピュータ、ま
たは専用受信機を備えている、項目５に記載の創傷または切開閉鎖装置。
（項目８）
前記第１および第２の上側負荷分散層は、１つ以上のストラップおよびストラップラチ
ェットを通して、互に接続されている、項目１に記載の創傷または切開閉鎖装置。
（項目９）
前記感知または治療要素は、温度計、運動センサ、化学センサ、圧力センサ、または治
療送達要素のうちの１つ以上のものを備えている、項目１に記載の創傷または切開閉鎖装置。
（項目１０）
前記運動センサは、歪みゲージ、電気機械的センサ、電磁センサ、加速度計、または光
学センサのうちの１つ以上のものを備えている、項目９に記載の創傷または切開閉鎖装置。
（項目１１）
前記化学センサは、血液組成、経皮血中酸素、経皮血中二酸化炭素、血糖値、またはｐ
Ｈのうちの１つ以上のものを測定するように構成されている、項目９に記載の創傷または切開閉鎖装置。
（項目１２）
前記治療送達要素は、光線治療のための光源、機械的振動要素、超音波源、薬物送達要
素、加熱要素、冷却要素、通電要素、または超音波源のうちの１つ以上のものを備えてい
る、項目９に記載の創傷または切開閉鎖装置。
（項目１３）
創傷または切開を処置する方法であって、前記方法は、
創傷または切開閉鎖装置の第１のパネルを前記創傷または切開の第１の側面に隣接して
接着させることと、
前記閉鎖装置の第２のパネルを前記創傷または切開の第２の側面に隣接して接着させる
ことと、
前記第１および第２のパネルを側方に一緒に引き込み、前記創傷または切開の第１およ
び第２の側面を一緒に引き込むことと、
前記第１または第２のパネルのうちの１つ以上のものの上またはその中に配置されてい
る治療または感知要素を用いて、生理学的パラメータを感知することと
を含む、方法。
（項目１４）
前記治療または感知要素を用いて、治療を患者に提供することをさらに含む、項目１３に記載の方法。
（項目１５）
前記治療は、光線治療、振動治療、超音波治療、薬物送達、熱治療、冷却治療、または
電気治療のうちの１つ以上のものを備えている、項目１４に記載の方法。
（項目１６）
前記感知された生理学的パラメータを外部受信デバイスに伝送することをさらに含む、
項目１３に記載の方法。
（項目１７）
前記外部受信デバイスは、ワークステーション、パーソナルコンピュータ、ラップトッ
プコンピュータ、タブレットコンピュータ、スマートフォン、ウェアラブルコンピュータ
、または専用受信機のうちの１つ以上のものを備えている、項目１６に記載の方法。
（項目１８）
前記生理学的パラメータは、温度、運動、湿度、圧力、生理学的マーカーの濃度、ｐＨ
、酸素レベル、二酸化炭素レベル、または血糖値のうちの１つ以上のものを備えている、
項目１３に記載の方法。